(57)【要約】【課題】給湯効率の高い風呂熱回収装置を提供する。【解決手段】熱源１と貯湯槽２を、貯湯循環ポンプ３を設けた熱源入口管４と熱源出口管５とで接続してなる貯湯循環回路６と、浴槽８と浴槽８の湯を加熱する加熱器７とを、浴槽入口管９と風呂循環ポンプ１０を設けた浴槽出口管１１とで接続してなる風呂循環回路１２と、加熱器バイパス弁１３で加熱器７をバイパスする加熱器バイパス管１４と、貯湯槽２の上部に接続された給湯管１６と、貯湯槽２の下部に接続された給水管１５から分岐して混合弁１７を介して給湯管１６に接続された貯湯槽バイパス管１８と、風呂循環回路１２の加熱流路２０と貯湯槽バイパス管１８の放熱流路２１とで蓄熱体２２を挟持して構成した蓄熱器１９とを備え、入浴後に浴槽８内の湯を風呂循環回路１２に循環させて蓄熱器１９に蓄熱し、給湯時に貯湯槽バイパス管１８を流れる給水を余熱することができる。【選択図】図１
2010007935.tif 000002
【特許請求の範囲】
【請求項１】
貯湯槽と、前記貯湯槽に給水する給水管と、前記貯湯槽から出湯する給湯管と、前記貯湯槽と熱源とを接続する貯湯循環回路と、前記給水管から分岐して混合弁を介して前記給湯管に接続する貯湯槽バイパス管と、浴槽と前記浴槽の湯を加熱する加熱器とを、浴槽入口管と浴槽出口管とで接続して構成した風呂循環回路とを備え、前記風呂循環回路が形成する加熱流路と前記貯湯槽バイパス管が形成する放熱流路と蓄熱体とで蓄熱器を構成することを特徴とする風呂熱回収装置。
【請求項２】
浴槽入口管に、外部に湯を排出するための排出切換え弁を設け、風呂循環ポンプと加熱器バイパス弁と前記排出切換え弁とを制御する制御装置とを設けた請求項１に記載の風呂熱回収装置。
【請求項３】
風呂循環回路に、蓄熱器をバイパスする蓄熱器バイパス管と、管路を前記蓄熱器バイパス管に切り替えるための蓄熱器バイパス弁とを設けた請求項１又は２に記載の風呂熱回収装置。
【請求項４】
蓄熱器に流入する湯の温度を検知する蓄熱器入水温度検知手段と、蓄熱体の温度を検知する蓄熱体温度検知手段と、前記蓄熱器入水温度検知手段と前記蓄熱体温度検知手段のそれぞれで検知された温度の差に応じて、蓄熱器バイパス弁と加熱器バイパス弁とを制御するバイパス制御装置とを設けた請求項３に記載の風呂熱回収装置。
【請求項５】
貯湯槽の上部と風呂循環回路を接続する接続管を設け、前記接続管に、所定の圧力に達すると開成する逃がし弁を設けた請求項１〜４のいずれか１項に記載の風呂熱回収装置。
【請求項６】
１０℃から３５℃の間に融点を有する潜熱蓄熱剤を蓄熱体として用いた請求項１〜５のいずれか１項に記載の風呂熱回収装置。
【請求項７】
蓄熱器の蓄熱容量を、浴槽内に湯はりされたときに湯が保有する熱量より少なく設定した請求項１〜６のいずれか１項に記載の風呂熱回収装置。
【発明の詳細な説明】
【技術分野】
【０００１】
本発明は、風呂の残湯から熱回収する風呂熱回収装置に関するものである。
【背景技術】
【０００２】
従来、この種の風呂熱回収装置は、ヒートポンプシステムまたは燃焼機を搭載する熱源と貯湯槽とを貯湯循環ポンプを設けた熱源入口管と熱源出口管とで接続する貯湯循環回路と、加熱器と浴槽とを浴槽入口管と風呂循環ポンプを設けた浴槽出口管とで接続する風呂循環回路と、加熱器バイパス弁で加熱器をバイパスする加熱器バイパス管と、貯湯槽下部に接続する給水管と、貯湯槽上部に接続する給湯管と、給水管から分岐して混合弁を介して給湯管に接続する貯湯槽バイパス管とで構成され、熱源で発生した熱を貯湯循環回路により貯湯槽に蓄熱した後、貯湯槽下部から給水して貯湯槽上部の高温の湯を給湯管に取りだし貯湯槽バイパス管から低温の給水と混合弁で混合して所定の温度にして給湯していた。一方、風呂の保温および追い焚きは、風呂循環ポンプを運転して浴槽の湯を風呂循環回路に循環させることにより、貯湯槽の熱を加熱器で取り出し浴槽内の湯を加熱していた（例えば、特許文献１参照）。
【０００３】
図８は、上記特許文献１に記載された従来の風呂熱回収装置の構成図である。
【０００４】
図８に示すように、従来の風呂熱回収装置は、熱源１と、貯湯槽２と、貯湯循環ポンプ３と、熱源入口管４と、熱源出口管５と、貯湯循環回路６と、加熱器７と、浴槽８と、浴槽入口管９と、風呂循環ポンプ１０と、浴槽出口管１１と、風呂循環回路１２と、加熱器バイパス弁１３と、加熱器バイパス管１４と、給水管１５と、給湯管１６と、混合弁１７と、貯湯槽バイパス管１８とから構成されている。
【特許文献１】特開２００３−２１４７１１号公報
【発明の開示】
【発明が解決しようとする課題】
【０００５】
しかしながら、前記従来の風呂熱回収装置の構成では、給湯時に貯湯槽２の上部の高温の湯と低温の給水とを混合弁１７で混合して所定の湯温を得ているために、貯湯槽２内の湯を多く使用しなければならず、さらに浴槽８の保温および追い焚き時にも、加熱器７で貯湯槽２から多くの熱量を取り出さなければならないため、システム効率が低いという課題を有していた。
【０００６】
本発明は、前記従来の課題を解決するもので、高効率運転が可能な風呂熱回収装置を提供することを目的とする。
【課題を解決するための手段】
【０００７】
前記従来の課題を解決するために、本発明の風呂熱回収装置は、貯湯槽と、前記貯湯槽に給水する給水管と、前記貯湯槽から出湯する給湯管と、前記貯湯槽と熱源とを接続する貯湯循環回路と、前記給水管から分岐して混合弁を介して前記給湯管に接続する貯湯槽バイパス管と、浴槽と前記浴槽の湯を加熱する加熱器とを、浴槽入口管と浴槽出口管とで接続して構成した風呂循環回路とを備え、前記風呂循環回路が形成する加熱流路と前記貯湯槽バイパス管が形成する放熱流路と蓄熱体とで蓄熱器を構成することを特徴とするもので、入浴後に浴槽内の湯を風呂循環回路に循環させて蓄熱器に蓄熱し、給湯時に貯湯槽バイパス管を流れる給水に放熱して混合弁に入る給水の温度を上昇させることにより浴槽内の熱を回収して給水予熱に利用することとなり、貯湯槽から混合弁にはいる高温の湯量を低減することが出来る。また、浴槽の保温および追い焚き運転時には、風呂循環回路に浴槽
内の湯を循環することにより、蓄熱器で加熱したあと不足する分を加熱器で加熱することとなり、貯湯槽から取り出す熱量を低減して、高効率の保温および追い焚き運転を実現することができる。
【発明の効果】
【０００８】
本発明の風呂熱回収装置は、浴槽内の熱を蓄熱器に蓄熱し、給湯時に蓄熱器から放熱して給水を余熱するとともに、風呂保温および追い焚き運転時には蓄熱器で放熱して浴槽内の湯を加熱することができるので、貯湯槽から取り出す熱量を低減してシステム効率を向上させ、高効率の風呂保温および追い焚き運転をすることが出来る。
【発明を実施するための最良の形態】
【０００９】
第１の発明は、貯湯槽と、前記貯湯槽に給水する給水管と、前記貯湯槽から出湯する給湯管と、前記貯湯槽と熱源とを接続する貯湯循環回路と、前記給水管から分岐して混合弁を介して前記給湯管に接続する貯湯槽バイパス管と、浴槽と前記浴槽の湯を加熱する加熱器とを、浴槽入口管と浴槽出口管とで接続して構成した風呂循環回路とを備え、前記風呂循環回路が形成する加熱流路と前記貯湯槽バイパス管が形成する放熱流路と蓄熱体とで蓄熱器を構成することを特徴とするもので、入浴後に浴槽内の湯を風呂循環回路に循環させて蓄熱器に蓄熱し、給湯時に貯湯槽バイパス管を流れる給水に放熱して混合弁に入る給水の温度を上昇させることにより浴槽内の熱を回収して給水予熱に利用することとなり、貯湯槽から混合弁にはいる高温の湯量を低減することが出来る。また、浴槽の保温および追い焚き運転時には、風呂循環回路に浴槽内の湯を循環することにより、蓄熱器で加熱したあと不足する分を加熱器で加熱することとなり、貯湯槽から取り出す熱量を低減して、高効率の保温および追い焚き運転を実現することができる。
【００１０】
第２の発明は、特に、第１の発明の浴槽入口管に、外部に湯を排出するための排出切換え弁を設け、風呂循環ポンプと加熱器バイパス弁と前記排出切換え弁とを制御する制御装置とを設けたもので、蓄熱器に蓄熱したあと、低温となった湯を加熱器をバイパスして浴槽に戻すことなく排出切換え弁から装置外部に排出させるようにすれば、貯湯槽および浴槽内の湯温を低下させることなく蓄熱運転を行うことができる。
【００１１】
第３の発明は、特に、第１または第２の発明の風呂循環回路に、蓄熱器をバイパスする蓄熱器バイパス管と、管路を前記蓄熱器バイパス管に切り替えるための蓄熱器バイパス弁とを設けたもので、蓄熱運転初期に浴槽出口管に滞留する低温の湯を蓄熱器にいれることなく蓄熱器バイパス管に流すようにすれば、蓄熱器に蓄熱した熱を装置外部に無駄に排出するのを防ぐことができる。
【００１２】
第４の発明は、特に、第３の発明の蓄熱器に流入する湯の温度を検知する蓄熱器入水温度検知手段と、蓄熱体の温度を検知する蓄熱体温度検知手段と、前記蓄熱器入水温度検知手段と前記蓄熱体温度検知手段のそれぞれで検知された温度の差に応じて、蓄熱器バイパス弁と加熱器バイパス弁とを制御するバイパス制御装置とを設けたもので、バイパス制御装置で蓄熱運転時に検知温度差が所定の値以上の時にのみ加熱器をバイパスして蓄熱器に浴槽の湯を通して蓄熱し、風呂保温および追い焚き運転時には検知温度差が所定の値以上の時にのみ蓄熱器側に浴槽の湯を通して放熱するようにすれば、効率的に蓄熱器を蓄放熱運転することができる。
【００１３】
第５の発明は、特に、第１〜４のいずれか一つの発明の貯湯槽の上部と風呂循環回路を接続する接続管を設け、前記接続管に、所定の圧力に達すると開成する逃がし弁を設けたもので、貯湯槽沸き上げ運転時に発生する高温の膨張水を蓄熱器に導いて排出切換え弁から装置外部に排出するようにすれば、膨張水から熱を回収して給湯や風呂保温などに利用することができる。
【００１４】
第６の発明は、特に、第１〜５のいずれか一つの発明の蓄熱体として、１０℃から３５℃の間に融点を有する潜熱蓄熱剤を用いたもので、年間を通して大量の熱を浴槽から回収することができ、小型で高効率な装置を実現することができる。
【００１５】
第７の発明は、特に、第１〜６のいずれか一つの発明の蓄熱器の蓄熱容量を、浴槽内に湯はりされたときに湯が保有する熱量より少なく設定したもので、複数回に分けて浴槽から熱回収するようにすれば、小型で高性能の装置を実現することができる。
【００１６】
以下、本発明の実施の形態について、図面を参照しながら説明する。なお、この実施の形態によって本発明が限定されるものでない。
【００１７】
（実施の形態１）
図１は、本発明の第１の実施の形態における風呂熱回収装置の構成図である。
【００１８】
図１において、貯湯循環回路６は、ヒートポンプまたは燃焼機を搭載する熱源１と貯湯槽２とを貯湯循環ポンプ３を設けた熱源入口管４と熱源出口管５とで環状に接続して構成され、風呂循環回路１２は、貯湯槽２内の上部に設けた加熱器７と、浴槽８とを浴槽入口管９と風呂循環ポンプ１０を設けた浴槽出口管１１とで環状に接続して構成されている。風呂循環回路１２には、加熱器バイパス弁１３で、加熱器７をバイパスする加熱器バイパス管１４を設け、貯湯槽２の下部に給水管１５を、上部に給湯管１６をそれぞれ接続し、給水管１５から分岐して混合弁１７を介して給湯管１６に接続する貯湯槽バイパス管１８を設けている。蓄熱器１９は、風呂循環回路１２に接続する加熱流路２０と、貯湯槽バイパス管１８に接続する放熱流路２１とで、蓄熱体２２を挟持して構成し、風呂循環回路１２と給湯管１６とは、湯はり管２３で接続し湯はり弁２４を設けている。
【００１９】
以上のように構成された本実施の形態における風呂熱回収装置について、以下その動作、作用を説明する。
【００２０】
まず、貯湯槽２への蓄熱は、貯湯循環回路６に設けた貯湯循環ポンプ３を運転して貯湯槽２の下部の低温の水を熱源入口管４から熱源１に流し熱源１で加熱した後、高温になった湯を熱源出口管５から貯湯槽２の上部に流すことにより、貯湯槽２の上部から順に高温の湯を貯め込むこととなる。浴槽８への湯はりは、湯はり弁２４を開放した状態で、給水管１５から貯湯槽２に給水することにより、貯湯槽２の上部から高温の湯を取り出し混合弁１７で貯湯槽バイパス管１８から流入する給水と、所定の温度になるように混合させて湯はり管２３から風呂循環回路１２に温水を供給し、加熱器バイパス管１４から浴槽入口管９を経て浴槽８に所定の温度の湯を供給することとなる。
【００２１】
蓄熱器１９への蓄熱は、入浴後、風呂循環ポンプ１０を運転して、浴槽８内の湯を風呂循環回路１２の蓄熱器１９の加熱流路２０に循環させることにより加熱流路２０で蓄熱体２２を加熱して蓄熱することとなる。蓄熱器１９の蓄熱後、給湯負荷が発生した場合、給水管１５に給水することにより、混合弁１７に貯湯槽２の上部から取り出した高温の湯と貯湯槽バイパス管１８からの給水とを流して所定の温度にした後、給湯に供することとなるので、貯湯槽バイパス管１８を通過する給水は、蓄熱器１９の放熱流路２１を通過するとき蓄熱体２２から熱を吸収して、給水の温度を上昇させるため、混合弁１７での貯湯槽２からの温水供給量を減らすことができる。
【００２２】
さらに、風呂保温および追い焚き運転は、風呂循環ポンプ１０を運転して浴槽８内の湯を、風呂循環回路１２の蓄熱器１９の加熱流路２０に循環させることにより、加熱流路２０で蓄熱体２２から熱を吸収して温度上昇させたあと加熱器７に流すこととなるので、貯
湯槽２から加熱器７への供給熱量を低減することとなり、貯湯槽２の消費熱量を低減してシステム効率を向上させることができる。
【００２３】
以上のように、本実施の形態においては、浴槽８内の残湯から蓄熱器１９に熱回収して蓄熱した後、蓄熱した熱を給湯に利用するとともに、風呂保温および追い焚きにも利用することにより、貯湯槽２の放出熱を低減することとなり、システム効率を向上させることができる。さらに、熱源１にヒートポンプを搭載する装置においては、貯湯槽２内の温度成層が崩れ難くなるためヒートポンプの入水温度を低く保つこととなり、ヒートポンプの性能を向上させることができる。
【００２４】
（実施の形態２）
図２は、本発明の第２の実施の形態における風呂熱回収装置の構成図である。尚、上記第１の実施の形態における風呂熱回収装置と同一部分には同一符号を付してその説明を省略する。
【００２５】
本実施の形態における風呂熱回収装置は、図２に示すように、風呂循環回路１２の蓄熱器１９と浴槽８とを接続する浴槽入口管９に排出切換え弁２５を設け、さらに風呂循環ポンプ１０と加熱器バイパス弁１３と排出切換え弁２５とを制御する制御装置２６とを設けたもので、他の構成は、上記第１の実施の形態における風呂熱回収装置と同一である。
【００２６】
以上のように構成された本実施の形態における風呂熱回収装置について、以下その動作、作用を説明する。
【００２７】
まず、浴槽８の熱回収運転は、制御装置２６で、加熱器バイパス弁１３を、加熱器バイパス管１４に切換えるとともに排出切換え弁２５を排出側に切り換えて風呂循環ポンプ１０を運転することにより、浴槽８内の湯を、蓄熱器１９に流して蓄熱した後、低温になった湯を、加熱器バイパス管１４から浴槽入口管９を通して排出切換え弁２５から風呂熱回収装置の外に排出させることができる。
【００２８】
以上のように、本実施の形態によれば、浴槽８の湯を蓄熱器１９と加熱器バイパス管１４と排出切換え弁２５の順に流して風呂熱回収装置の外に排出することにより、温度低下した湯を再び浴槽８に戻すことなく外部に排出させることとなり、加熱器７で貯湯槽２の湯温を低下させることなく、また浴槽８の湯を高温に保って効率的な蓄熱運転を行うことができる。
【００２９】
（実施の形態３）
図３は、本発明の第３の実施の形態における風呂熱回収装置の構成図である。尚、上記第１の実施の形態における風呂熱回収装置と同一部分には同一符号を付してその説明を省略する。
【００３０】
本実施の形態における風呂熱回収装置は、図３に示すように、風呂循環回路１２に、蓄熱器１９をバイパスする蓄熱器バイパス管２７と、蓄熱器バイパス弁２８とを設けたもので、他の構成は、上記第１の実施の形態における風呂熱回収装置と同一である。
【００３１】
以上のように構成された本実施の形態における風呂熱回収装置について、以下その動作、作用を説明する。
【００３２】
まず、浴槽８内の残湯から熱を回収する場合、風呂循環ポンプ１０を運転して、風呂循環回路１２に浴槽８内の湯を循環させて蓄熱器１９に蓄熱する。蓄熱器１９に熱が残った状態で循環を開始すると、浴槽出口管１１に滞留する低温の湯が蓄熱器１９の加熱流路２
０に流入し蓄熱体２２から熱を取り出すことになるが、このとき蓄熱器バイパス弁２８で蓄熱器バイパス管２７側に管路を切り換えることにより、運転初期においても蓄熱器１９からの熱損失をふせぐことが出来る。
【００３３】
以上のように、本実施の形態によれば、風呂循環回路１２に蓄熱器バイパス管２７と蓄熱器バイパス弁２８とを設けたことにより、蓄熱器１９に流入する湯の温度が低い場合に蓄熱器１９をバイパスして流すことができ、これにより、蓄熱器１９の加熱流路２０からの放熱を防ぐことが出来る。
【００３４】
（実施の形態４）
図４は、本発明の第４の実施の形態における風呂熱回収装置の構成図である。尚、上記実施の形態における風呂熱回収装置と同一部分には同一符号を付してその説明を省略する。
【００３５】
本実施の形態における風呂熱回収装置は、図４に示すように、蓄熱器１９に流入する湯の温度を検知する蓄熱器入水温度検知手段２９と、蓄熱体２２の温度を検知する蓄熱体温度検知手段３０と、蓄熱器入水温度検知手段２９と蓄熱体温度検知手段３０とで検知された検知温度の差に応じて、蓄熱器バイパス弁２８と加熱器バイパス弁１３とを制御するバイパス制御装置３１とを設けたもので、他の構成は、上記第３の実施の形態における風呂熱回収装置と同一である。
【００３６】
以上のように構成された本実施の形態における風呂熱回収装置について、以下その動作、作用を説明する。
【００３７】
まず、浴槽８内の残湯から熱を回収する場合、風呂循環ポンプ１０を運転して、風呂循環回路１２に浴槽８内の湯を循環させて蓄熱器１９に蓄熱する。この時、蓄熱器入水温度検知手段２９の検知温度が蓄熱体温度検知手段３０の検知温度より充分大きく、所定の値より大きな温度差のときに、バイパス制御装置３１で蓄熱器バイパス弁２８を蓄熱器１９側に切換え、風呂保温および追い焚き運転は、風呂循環回路１２に浴槽８内の湯を循環させて蓄熱器１９と加熱器７で加熱する。
【００３８】
この時、蓄熱体温度検知手段３０の検知温度が、蓄熱器入水温度検知手段２９の検知温度より充分大きく、所定の値より大きな温度差のときに、バイパス制御装置３１で蓄熱器バイパス弁２８を蓄熱器１９側に切換えると同時に、加熱器バイパス弁１３で加熱器７側に通水して加熱する。一方、蓄熱体温度検知手段３０と蓄熱器入水温度検知手段２９の検知温度が所定の値より小さな温度差のときには、バイパス制御装置３１で蓄熱器バイパス弁２８を蓄熱器バイパス管２７側に管路を切り換えて運転することとなる。
【００３９】
以上のように、本実施の形態においては、蓄熱器入水温度検知手段２９と、蓄熱体温度検知手段３０と、蓄熱器入水温度検知手段２９と蓄熱体温度検知手段３０との検知温度差に応じて蓄熱器バイパス弁２８と加熱器バイパス弁１３とを制御するバイパス制御装置３１とを設けることにより、蓄熱器１９の蓄熱体２２から熱を取り出して循環水を加熱可能なときにのみ蓄熱器１９に通水することとなり、蓄熱器１９からの放熱を防ぐとともに、貯湯槽２の温度成層を保って運転することにより給湯効率を向上させることができる。
【００４０】
（実施の形態５）
図５は、本発明の第５の実施の形態における風呂熱回収装置の構成図である。尚、上記実施の形態における風呂熱回収装置と同一部分には同一符号を付してその説明を省略する。
【００４１】
本実施の形態における風呂熱回収装置は、図５に示すように、貯湯槽２の上部と風呂循環回路１２とを接続管３２で接続し、その接続管３２に、所定の圧力で動作する逃がし弁３３を設けたもので、他の構成は、上記第２の実施の形態に記載された風呂熱回収装置と同一である。
【００４２】
以上のように構成された本実施の形態における風呂熱回収装置について、以下その動作、作用を説明する。
【００４３】
まず、貯湯槽２の蓄熱は、貯湯循環回路６に設けた貯湯循環ポンプ３を運転して貯湯槽２の下部の低温の水を、熱源入口管４から熱源１に流し熱源１で加熱した後、高温になった湯を熱源出口管５から貯湯槽２の上部に流すことにより、貯湯槽２の上部から順に高温の湯を貯め込み温度成層を形成することとなる。貯湯槽２の水が高温の湯になると体積が膨張し貯湯槽２内の圧力が上昇する。所定の圧力を超えると逃がし弁３３が開放し、貯湯槽２の上部の高温の湯が、接続管３２から風呂循環回路１２に排出され、蓄熱器１９の加熱流路２０に流れて、蓄熱体２２に蓄熱したあと、加熱器バイパス管１４から浴槽入口管９に設けた排出切換え弁２５を経て装置の外部に排出することとなる。給湯時は、貯湯槽バイパス管１８に設けた蓄熱器１９の放熱流路２１に給水することにより、蓄熱体２２から受熱し放熱流路２１で給水が加熱される。
【００４４】
以上のように、本実施の形態によれば、貯湯槽２の上部と風呂循環回路１２とを接続する接続管３２と、接続管３２に設けた逃がし弁３３により、貯湯槽２に生成する高温の膨張水を蓄熱器１９に流した後、装置の外に排出するので、膨張水の保有する熱を蓄熱器１９に回収して給湯時に給水を加熱することができ、熱源１の入力を減らして給湯効率を向上させることができる。
【００４５】
（実施の形態６）
図６は、本発明の第６の実施の形態における風呂熱回収装置の構成図を示すものである。尚、上記実施の形態における風呂熱回収装置と同一部分には同一符号を付してその説明を省略する。
【００４６】
本実施の形態における風呂熱回収装置は、図６に示すように、蓄熱体２２を、例えば硫酸ナトリウム１０水塩のような３０℃程度の融点を有する蓄熱剤を搭載する中温蓄熱体２２ａと、例えばパラフィンワックスなどのような１５℃程度の融点を有する蓄熱剤を搭載する低温蓄熱体２２ｂとで構成したもので、他の構成は、上記第２の実施の形態に記載された風呂熱回収装置と同一である。
【００４７】
以上のように構成された本実施の形態における風呂熱回収装置について、以下その動作、作用を説明する。
【００４８】
まず、浴槽８へは、４５℃程度で給湯され、入浴した時間とともに温度が低下していくが、夏期においては、長時間程度経過しても４０度以上の温度を保つため、蓄熱器１９の加熱流路２０に４０℃程度の湯を流すこととなり、上流側に配置した中温蓄熱体２２ａと下流側に配置した低温蓄熱体２２ｂの両方とも融点温度に達して溶融状態で蓄熱することができる。
【００４９】
夏期の給湯時には、蓄熱器１９の放熱流路２１に給水することになるが、夏期の給水温度は２５℃程度であるので、中温蓄熱体２２ａの融点温度３０℃より低いが低温蓄熱体２２ｂの融点温度１５℃より高くなるため、中温蓄熱体２２ａの潜熱と顕熱および低温蓄熱体２２ｂの顕熱を利用して給水を加熱することとなる。
【００５０】
一方、冬期においては、浴槽８内の湯温低下も大きいため、長時間経過した場合は２５℃程度まで低下することもある。この時、蓄熱器１９の加熱流路２０には、中温蓄熱体２２ａの融点温度３０℃よりも低い２５℃程度の湯が流入するため、顕熱で蓄熱した後、低温蓄熱体２２ｂに融点温度１５℃より高い２５℃程度の湯が流入して、潜熱と顕熱の両方を蓄熱することとなる。冬期の給湯時には、給水温度が７℃程度になるので、１５℃の融点を有する低温蓄熱体２２ｂにおいては凝固域で潜熱を受熱し、中温蓄熱体２２ａからは固体の顕熱として熱回収することとなる。
【００５１】
以上のように、本実施の形態によれば、蓄熱体２２に１０℃から３５℃の融点を有する蓄熱剤を用いることにより、年間を通して変動する外気温度と給水温度に対応して、浴槽８の残湯から潜熱を利用して大量の熱を回収し、給湯時の給水を予熱することにより給湯効率を向上させることができる。
【００５２】
（実施の形態７）
図７は、本発明の第７の実施の形態における風呂熱回収装置の斜視図及び断面図である。尚、上記実施の形態における風呂熱回収装置と同一部分には同一符号を付してその説明を省略する。
【００５３】
本実施の形態における風呂熱回収装置は、図７に示すように、角型貯湯タンクユニット３４とヒートポンプユニット３５を組み合わせて風呂熱回収装置を構成し、角型貯湯タンクユニット３４内に丸型の貯湯槽２を収納し、角型貯湯タンクユニット３４内のコーナー部に、浴槽８内に湯はりされる湯の保有する熱量の１０分の１の蓄熱容量を有する蓄熱器１９を収納し、貯湯槽２内の水をヒートポンプユニット３５で加熱するようにしたものである。
【００５４】
以上のように構成された本実施の形態における風呂熱回収装置について、以下その動作、作用を説明する。
【００５５】
まず、蓄熱器１９の蓄熱容量は、浴槽８に湯はりされる湯の保有する熱量の１０分の１の蓄熱容量なので、入浴後１回目の熱回収運転では、浴槽８の湯の排出量も１０分の１程度となり、給湯負荷が発生して、蓄熱器１９が充分に熱放出したあと、第２回目の熱回収運転が行われ、順次熱回収運転と熱放出運転が繰り返され少なくとも１０回以上の熱回収運転で浴槽８内の残湯から熱回収することとなる。
【００５６】
以上のように、本実施の形態によれば、浴槽８内に湯はりされる湯の保有する熱量より少ない蓄熱容量を有する蓄熱器１９を用いるため、蓄熱器１９を小型化することができる。また、丸型の貯湯槽２を収納する角型貯湯タンクユニット３４内で、幾何学的形状に由来して生ずる空間に、小型化された蓄熱器１９を収納することが出来るので、大型の蓄熱装置を別設することなく、小型で高性能の風呂熱回収装置を実現することができる。
【産業上の利用可能性】
【００５７】
以上のように、本発明にかかる風呂熱回収装置は、システム効率を向上し、高効率な風呂保温および追い焚き運転が可能となるので、暖房装置などの用途にも適用できる。
【図面の簡単な説明】
【００５８】
【図１】本発明の実施の形態１における風呂熱回収装置の構成図
【図２】本発明の実施の形態２における風呂熱回収装置の構成図
【図３】本発明の実施の形態３における風呂熱回収装置の構成図
【図４】本発明の実施の形態４における風呂熱回収装置の構成図
【図５】本発明の実施の形態５における風呂熱回収装置の構成図
【図６】本発明の実施の形態６における風呂熱回収装置の構成図
【図７】（ａ）本発明の実施の形態７における風呂熱回収装置の貯湯タンクユニットの斜視図（ｂ）同風呂熱回収装置のヒートポンプユニットの斜視図（ｃ）図７（ａ）のＡ−Ａ断面図
【図８】従来の風呂熱回収装置の構成図
【符号の説明】
【００５９】
１  熱源
２  貯湯槽
３  貯湯循環ポンプ
４  熱源入口管
５  熱源出口管
６  貯湯循環回路
７  加熱器
８  浴槽
９  浴槽入口管
１０  風呂循環ポンプ
１１  浴槽出口管
１２  風呂循環回路
１３  加熱器バイパス弁
１４  加熱器バイパス管
１５  給水管
１６  給湯管
１７  混合弁
１８  貯湯槽バイパス管
１９  蓄熱器
２０  加熱流路
２１  放熱流路
２２  蓄熱体
２３  湯はり管
２５  排出切換え弁
２６  制御装置
２７  蓄熱器バイパス管
２８  蓄熱器バイパス弁
２９  蓄熱器入水温度検知手段
３０  蓄熱体温度検知手段
３１  バイパス制御装置
３２  接続管
３３  逃がし弁
３４  貯湯タンクユニット
３５  ヒートポンプユニット
【図１】
2010007935.tif 000003
【図２】
2010007935.tif 000004
【図３】
2010007935.tif 000005
【図４】
2010007935.tif 000006
【図５】
2010007935.tif 000007
【図６】
2010007935.tif 000008
【図７】
2010007935.tif 000009
【図８】
2010007935.tif 000010